(57)【要約】      （修正有）【課題】整列して押印することができ、かつ、押印する位置を細かく調整することのできる、定規を提供する。【解決手段】定規１は、用紙に押し当てられる平板部２０であって、透明に形成されるとともに、複数の平行な目盛線２１、・・・が付された、平板部２０と、平板部２０が用紙に押し当てられた状態で、用紙から離れるように形成され、印鑑の向きをガイドするガイド部３０と、を一体に備えている。【選択図】図１
0003216873.tif 000002
【実用新案登録請求の範囲】
【請求項１】
用紙に押し当てられる平板部であって、透明に形成されるとともに、複数の平行な目盛線が付された、平板部と、
前記平板部が前記用紙に押し当てられた状態で、前記用紙から離れるように形成され、印鑑の向きをガイドするガイド部と、を一体に備える、定規。
【請求項２】
前記ガイド部は、前記平板部が前記用紙に押し当てられた状態で、前記用紙に対して垂直な方向から３度から４５度の範囲で傾斜するように形成されている、請求項１に記載された定規。
【請求項３】
前記ガイド部には、前記平板部に付された前記複数の平行な目盛線に対して垂直な複数の目盛線がさらに付されている、請求項１又は請求項２に記載された定規。
【請求項４】
前記平板部が前記用紙に押し当てられた状態で、前記用紙から離れるように形成され、手で保持するための取っ手部をさらに備える、請求項１乃至請求項３のいずれか一項に記載された定規。
【請求項５】
前記ガイド部を上に位置させるとともに前記取っ手部を下に位置させると、前記取っ手部がスタンドとなって前記定規を立てることができるようになっている、請求項４に記載された定規。
【考案の詳細な説明】
【技術分野】
【０００１】
本考案は、印鑑の押印や蛍光マーカでラインを引く際に、ガイドとなる定規に関するものである。
【背景技術】
【０００２】
従来、ゴム印や角印などの四角形の印鑑を押印する際には、感覚に頼って位置・向きを決めて押印していた。そのため、用紙の端や文字の行や列に対して、斜めに押印してしまう場合があった。同様に、蛍光マーカや修正テープを使用する際にも、斜めに引いてしまう場合があった。
【０００３】
このような問題を解決するため、例えば特許文献１の定規は、直定規に長方形の突起を設けて、全体としてＴ字形に形成されている。この構成であれば、この定規を文字列と平行に置き、直定規と突起との角に押し当てつつ印鑑を押すことで、整列して（まっすぐに）押印することができるようになっている。
【先行技術文献】
【特許文献】
【０００４】
【特許文献１】特開２００８−１１０５９２号公報
【考案の概要】
【考案が解決しようとする課題】
【０００５】
しかしながら、特許文献１に記載された定規では、整列して押印することはできる一方で、定規自体の幅・長さを基準として押印する位置を決める必要があるため、押印する位置を細かく調整することはできなかった。
【０００６】
そこで、本考案は、整列して押印することができ、かつ、押印する位置を細かく調整することのできる、定規を提供することを目的としている。
【課題を解決するための手段】
【０００７】
前記目的を達成するために、本考案の定規は、用紙に押し当てられる平板部であって、透明に形成されるとともに、複数の平行な目盛線が付された、平板部と、前記平板部が前記用紙に押し当てられた状態で、前記用紙から離れるように形成され、印鑑の向きをガイドするガイド部と、を一体に備えている。
【０００８】
なお、本発明では、ガイド部によってガイドされる被ガイド手段として、印鑑であるとして記載しているが、これに限定されるものではなく、印鑑の他にも、蛍光マーカ、又は、修正テープなど、整列させる必要があるものであれば、本発明を適用できる。
【考案の効果】
【０００９】
このように、本考案の定規は、用紙に押し当てられる平板部であって、透明に形成されるとともに、複数の平行な目盛線が付された、平板部と、平板部が用紙に押し当てられた状態で、用紙から離れるように形成され、印鑑の向きをガイドするガイド部と、を一体に備えている。このような構成であれば、透明な平板部に付された複数の目盛線を文字列や用紙の端部に合わせて定規を位置決めすることで、整列して押印することができ、かつ、押印する位置を細かく調整することができるようになる。
【図面の簡単な説明】
【００１０】
【図１】定規の斜視図である。
【図２】定規の平面図である。
【図３】定規の側面図である。
【図４】使用するときの定規の作用を説明する平面図である。
【図５】使用しないときの定規の作用を説明する側面図である。
【考案を実施するための形態】
【００１１】
以下、本考案の実施の形態について図面を参照して説明する。
【実施例】
【００１２】
（構成）
まず、図１〜図３を用いて本実施例の定規１の構成について説明する。定規１は、図１に示すように、アクリル樹脂又はポリスチレンなどの透明な合成樹脂によって全体として四角形の板状に形成されるものであり、平板部２０と、ガイド部３０と、取っ手部４０と、を一体に備えている。
【００１３】
平板部２０は、用紙に押し当てられる略正方形の板であり、複数の平行な直線状の目盛線２１、・・・が横方向に延びるように描かれている。目盛線２１は、例えば、５（ｍｍ）毎などの一定の間隔で平板部２０の下面に描かれており、左端には数字が描かれている。図１〜図３の例では、概ね０（ｃｍ）から６．５（ｃｍ）の範囲に等間隔に目盛線２１が描かれている。同様に目盛線２２は、目盛線２１に垂直に交わるもので、例えば、１０（ｍｍ）毎などの一定の間隔で平板部２０の下面に描かれている。
【００１４】
ガイド部３０は、平板部２０が用紙（９０）に押し当てられた状態で用紙（９０）から離れるように形成され、印鑑（８０）の向きをガイドする部分である。すなわち、ガイド部３０は、平板部２０に描かれた目盛線２１、・・・と平行に形成されており、目盛線２１と平行になるように印鑑（８０）の向きを規制することができる。
【００１５】
ガイド部３０は、図１、図３に示すように、「く」の字に屈曲して形成されており、下部は用紙（９０）から離れるようにする機能を有し、上部は印鑑（８０）を斜め方向にガイドする機能を有している。
【００１６】
具体的に言うと、ガイド部３０の上部は、図３に示すように、用紙（９０）の表面から、３度から４５度の範囲で傾斜するように形成されている（図３のθ１）。さらに、ガイド部３０の下部は、図３に示すように、用紙（９０）の表面に立てた法線に対して、３度から４５度の範囲で傾斜するように形成されている（図３のθ２）。
【００１７】
そして、本実施例のガイド部３０には、下部に複数の目盛線３１、・・・が縦方向に延びるように描かれている。目盛線３１は、例えば、５（ｍｍ）毎などの一定の間隔でガイド部３０の下部に描かれており、下には数字が描かれている。この目盛線３１は、平板部２０に付された目盛線２１、・・・に対して垂直な方向に描かれている。このようにして、平板部２０の目盛線２１、・・・と、ガイド部３０の目盛線３１、・・・とによって、縦方向と横方向に位置の目安ができる。
【００１８】
取っ手部４０は、図１、図３に示すように、平板部２０が用紙（９０）に押し当てられた状態で、用紙から離れるように形成され、手で保持するための部分である。さらに、後述するように、ガイド部３０を上に位置させるとともに、取っ手部４０を下に位置させると、この取っ手部４０がスタンド（土台）となって、定規１全体を立てることができるようになっている。
【００１９】
（作用）
次に、図４及び図５を用いて、本実施例の定規１の作用について説明する。
【００２０】
（ガイド作用）
まず、図４を用いて、印鑑８０を押印する場合のガイド作用について説明する。図４に示す例では、用紙９０の下端９１に１．５（ｃｍ）の目盛線２１を重ね合わせることで、ガイド部３０を用紙９０の向きと平行にしている。そして、ガイド部３０の目盛線３１を見ながら、ガイド部３０の上部の表面に印鑑８０の側面を押し当てることで、ガイドさせつつ用紙９０に押印する。このように定規１を用いて印鑑８０を押印することで、用紙９０の向きに合わせて押印することができるようになる。さらに、目盛線２２を参照することで、横方向の位置を調整することができる。
【００２１】
この際、用紙９０の左右・上下の端９１や、書類の線、及び／又は、文字に平板部２０の目盛線２１、２２を合わせ、ガイド部３０に印鑑８０などを当接させて、下方に滑らせながら押印することで、水平に押印できる。同様に、修正テープや蛍光マーカなどを使用する際は、曲がらずに引くことができる。
【００２２】
（スタンド作用）
次に、図５を用いて、定規１を使用しない場合のスタンド作用について説明する。定規１を使用しないときは、図５に示すように、取っ手部４０を下に位置させるとともにガイド部３０を上に位置させた状態で、取っ手部４０を用紙９０や机１００に当接させることで、定規１を立てる（直立）ことができるようになる。このように定規１を立てることで、定規１を使用しないときに省スペースを実現できる。
【００２３】
（効果）
次に、本実施例の定規１の奏する効果を列挙して説明する。
【００２４】
（１）上述してきたように、定規１は、用紙９０に押し当てられる平板部２０であって、透明に形成されるとともに、複数の平行な目盛線２１、・・・が付された、平板部２０と、平板部２０が用紙９０に押し当てられた状態で、用紙９０から離れるように形成され、印鑑８０の向きをガイドするガイド部３０と、を一体に備えている。このような構成であれば、透明な平板部２０に付された複数の目盛線２１、・・・を文字列や用紙の端部に合わせて定規１を位置決めすることで、整列して押印することができ、かつ、押印する位置を細かく調整することができるようになる。
【００２５】
より具体的に言うと、ゴム印、角印、修正テープ、蛍光マーカなどを曲がらず、水平に、押印したり、引いたりすることができる。さらに、この際には、ガイド部３０が用紙９０から離れているため、インク等が定規１に付着して用紙９０を汚すことを防止できる。
【００２６】
（２）また、ガイド部３０は、平板部２０が用紙９０に押し当てられた状態で、用紙９０に対して垂直な方向から３度から４５度の範囲で傾斜するように形成されているため、印鑑８０の側面を押し当てれば、印鑑８０を斜めに誘導することができる。これによって、目で見ながら押印しやすくなるうえ、位置を決めやすくなる。
【００２７】
（３）さらに、ガイド部３０には、平板部２０に付された複数の平行な目盛線２１、・・・に対して垂直な複数の目盛線３１、・・・がさらに付されているため、印鑑８０などの位置を２方向に（すなわち、縦・横に）位置決めすることができる。さらに、目盛線３１、・・・を参照すれば、必要な範囲にのみ修正テープや蛍光マーカを引くことができる。さらに、平板部２０にも、目盛線２１、・・・と垂直な複数の目盛線２２、・・・を付すこともいっそう好ましい。
【００２８】
（４）また、平板部２０が用紙９０に押し当てられた状態で、用紙９０から離れるように形成され、手で保持するための取っ手部４０をさらに備えるため、定規１の位置を微調整しやすくなる。
【００２９】
（５）さらに、ガイド部３０を上に位置させるとともに取っ手部４０を下に位置させると、取っ手部４０がスタンドとなって定規１を立てることができるようになっていれば、定規１を使用しないときに省スペースとなる。
【００３０】
以上、図面を参照して、本考案の実施例を詳述してきたが、具体的な構成は、この実施例に限らず、本考案の要旨を逸脱しない程度の設計的変更は、本考案に含まれる。
【符号の説明】
【００３１】
１          定規
２０        平板部
２１        目盛線（横に延びる）
２２        目盛線（縦に延びる）
３０        ガイド部
３１        目盛線（縦に延びる）
４０        取っ手
【図１】
0003216873.tif 000003
【図２】
0003216873.tif 000004
【図３】
0003216873.tif 000005
【図４】
0003216873.tif 000006
【図５】
0003216873.tif 000007